(57)【特許請求の範囲】
【請求項１】
燃料インジェクタにおいて、
ハウジング（２０）が設けられており、該ハウジング（２０）が、入口（２１０）と、出口（２２０）と、ハウジングを貫通した長手方向軸線（２７０）とを有しており、
前記出口（２２０）の近傍に配置された弁座（３０）が設けられており、該弁座がシール面（３３０）とオリフィス（３２０）とを有しており、
前記出口に配置された調量オリフィス（５０）が設けられており、該調量オリフィスが、該調量オリフィスを貫通した複数の調量開口（５３０）を有しており、
ニードル（４０）が設けられており、該ニードルが、長手方向軸線（２７０）に沿って、ニードルが弁座（３０）から離反させられて燃料がニードルを流過することができる第１の位置と、ニードルが弁座に押し付けられてニードルを通る燃料流を妨げる第２の位置との間を往復運動するようにハウジング（２０）内に配置されており、
前記弁座（３０）と前記調量オリフィス（５０）との間に形成された制御速度チャネル（５６０）が設けられており、該制御速度チャネルが、前記オリフィスから複数の調量開口にまで外方へ延びており、
調量オリフィス（５０）上に弁座の仮想延長線（３４）によって規定された第１の仮想円が、複数の調量開口（５３０）によって規定された第２の仮想円よりも小さく、
制御速度チャネル（５６０）が、長手方向軸線（２７０）から第１の半径ｒ１の第１の位置（Ａ３）と、長手方向軸線（２７０）から第２の半径ｒ２の第２の位置（Ａ４）との間に延びており、前記第１の位置（Ａ３）において、制御速度チャネル（５６０）は、調量オリフィス（５０）から第１の高さｈ１を有しており、前記第２の位置（Ａ４）に複数の調量開口（５３０）が配置されており、第２の位置（Ａ４）において制御速度チャネル（５６０）は、調量オリフィス（５０）から第２の高さｈ２を有しており、第１の半径と第１の高さの積が、第２の半径と第２の高さの積と等しくなっており、
これにより、弁座のオリフィス（３２０）から複数の調量開口（５３０）まで外方へ延びた制御速度チャネルにおける燃料流が、オリフィスと複数の調量開口との間でほぼ一定の速度であることを特徴とする、燃料インジェクタ。
【請求項２】
前記制御速度チャネル（５６０）が、外方へ、より大きな高さからより小さな高さにまで調量開口（５３０）に向かってテーパしたほぼ環状のチャネルである、請求項１記載の燃料インジェクタ。
【請求項３】
前記調量オリフィス（５０）が、ほぼ平坦でありかつ長手方向軸線に対して垂直である、請求項１記載の燃料インジェクタ。
【請求項４】
前記調量オリフィスが、調量開口の間に突出部を有している、請求項３記載の燃料インジェクタ。
【請求項５】
前記ニードル（４０）が、ほぼ丸い端面を有している、請求項３記載の燃料インジェクタ。
【請求項６】
前記調量オリフィス（５０）が、ほぼ丸い、請求項５記載の燃料インジェクタ。
【請求項７】
前記ニードル（４０）が、長手方向軸線（２７０）に対してほぼ垂直なほぼ平らな端面を有している、請求項１記載の燃料インジェクタ。
【請求項８】
前記ニードル（４０）が第２の位置にある場合に、前記端面が調量オリフィス（５０）から約５０〜１００μｍの距離だけ離反させられている、請求項７記載の燃料インジェクタ。
【発明の詳細な説明】
【０００１】
【発明の属する技術分野】
本発明は、燃料インジェクタ、特に、調量オリフィスにおいて乱流を形成する１つのディスクを有する燃料インジェクタに関する。
【０００２】
【従来の技術】
燃料インジェクタは、各燃焼室に導入するために燃料の正確な調量を提供するために内燃機関において通常使用される。さらに、燃料インジェクタは、噴射時に燃料を霧化し、燃料を多数の微小粒子に分割し、噴射される燃料の表面領域を増大させ、燃焼前に酸化剤、通常周囲空気を燃料とより十分に混合させる。燃料の正確な調量及び霧化は、燃焼エミッションを減じ、エンジンの燃料効率を増大させる。
【０００３】
電磁燃料インジェクタは、燃料調量弁に作動力を提供するために通常ソレノイドアセンブリを使用する。通常、燃料調量弁は、プランジャ形式のニードル弁であり、このニードル弁は、ニードルがシール直径に沿って弁座に当て付けられて燃料が調量オリフィスディスクを通過して燃焼室へ漏出するのを防止する閉鎖位置と、ニードルが弁座から持ち上げられて燃料が調量オリフィスを通過して燃焼室へ導入することができる開放位置との間を往復運動する。
【０００４】
通常、調量オリフィスディスクは、複数の調量オリフィス開口を有しており、これらの調量オリフィス開口は、ニードルのすぐ下方かつシール直径の内方に設けられている。このアプローチは、ニードルの端部と調量オリフィスディスクの上流面との間の距離の正確な制御に依存する。ニードルのジオメトリ、シール直径及びニードルのリフト量の変化は、この臨界的寸法を変化させるおそれがある。この寸法の正確な制御を維持するための別のアプローチは、マルチディスクの考え方を使用する。しかしながら、このアプローチは、向き付け、層剥離、部分取扱いがより複雑である。
【０００５】
【発明が解決しようとする課題】
したがって、本発明の課題は、調量オリフィス開口において所望の乱流を形成するために弁座の下流面に制御された正確なジオメトリが形成された燃料インジェクタを開発することである。
【０００６】
【課題を解決するための手段】
簡単に言えば、本発明は、ハウジングと、弁座と、調量オリフィスと、ニードルとを有する燃料インジェクタである。ハウジングは、入口と、出口と、ハウジングを通って延びた長手方向軸線を有する。弁座は、出口の近傍に配置されている。弁座は、シール面を備えた通路とオリフィスとを有している。調量オリフィスは、出口に配置されており、出口を貫通した複数の調量開口を有している。ニードルは、ニードルが弁座から離反させられて燃料がニードルを流過することができる第１の位置と、ニードルが弁座に押し付けられ燃料がニードルを流過することができない第２の位置との間を長手方向軸線に沿って往復運動するようにハウジング内に配置されている。制御速度チャネルが、弁座と調量オリフィスとの間に形成されている。制御速度チャネルは、オリフィスから複数の調量開口にまで外方へ延びている。
【０００７】
さらに、本発明は、燃料インジェクタを通過する燃料流に乱流を形成する方法である。この方法は、圧力を掛けられた燃料流を燃料インジェクタに提供することを含む。燃料インジェクタに設けられた弁が開放され、加圧燃料が弁を通り燃料室内へ流れる。燃料流は、初期速度で、燃料室から、弁座によって形成された制御速度チャネル及び調量オリフィス内へ方向付けられる。制御速度チャネルは、制御速度チャネルの上流端部における第１の高さから、制御速度チャネルの下流端部における第２の高さにまでテーパしている。第２の高さは第１の高さよりも小さい。燃料は、制御速度チャネルを通過する間ほぼ制御された速度を維持する。最終的な速度は、初期速度よりも高く、燃料流に乱流を形成する。次いで、燃料流は、制御速度チャネルの下流における少なくとも１つのオリフィス開口を通過させられ、燃料インジェクタから排出される。
【０００８】
【発明の実施の形態】
本明細書に組み込まれかつ本明細書の一部を構成した添付の図面は、本発明の現時点での有利な実施態様を示しており、前記の概略的説明及び以下の詳細な説明と相俟って、本発明の特徴を説明するために働く。
【０００９】
図面中同一の符号は同一の部材を示すために使用されている。図１及び図２に示された第１の有利な実施形態は、内燃機関の燃料噴射システムにおいて使用するための燃料インジェクタ１０である。インジェクタ１０は、ハウジング２０と、弁座３０と、ニードル４０と、ほぼ平らな燃料調量オリフィス５０とを有している。内燃機関（図示せず）の作動に関連した燃料インジェクタ１０の作動の詳細は、よく知られており、有利な実施形態に関連した作動を除きここでは詳細に説明しない。有利な実施形態は概して内燃機関のためのインジェクタに関連しているが、当業者は、有利な実施形態を流体の正確な調量が望ましい又は必要とされているような別の応用例に適用することができることを、本明細書の開示から認識するであろう。
【００１０】
弁ハウジング２０は、上流又は入口端部２１０と、下流又は出口端部２２０とを有している。ハウジング２０はさらに弁体２６０を有しており、この弁体２６０は、ハウジング室２６２を有している。“上流”及び“下流”という用語は、参照される図面における流れ方向を示している。上流側は、各図面の上部を表し、下流側は、各図面の下部を表す。ハウジング室２６２は、弁ハウジング２０を通って延びた長手方向軸線２７０に沿って弁ハウジング２０の中央長手方向部分を通って延びており、内部ハウジング壁部２６４によって形成されている。中央ニードルガイド開口２８４と、半径方向に間隔を置いた複数の燃料流れ開口２８２とを有するニードルガイド２８０が、ハウジング２０の下流端部２２０の近傍でハウジング室２６２内に配置されている。ニードルガイドは、長手方向軸線２７０に沿ったニードル４０の往復運動を維持することを助ける。誘電材料、有利にはプラスチック又はその他の適切な材料から形成されたオーバモールド部２９０は、弁体２６０を包囲している。Ｏリング１２が、インジェクタ１０を内燃機関（図示せず）内に座着させるために弁体２６０の外周の周囲に配置されている。
【００１１】
弁座３０は、ニードルガイド２８０と噴射端部２２０との間で出口２２０の近傍にハウジング室２６２内に配置されている。弁座３０は、ほぼハウジング２０の長手方向軸線２７０に沿って延びておりかつほぼ円筒状の壁部３２２によって形成された通路オリフィス３２０を有している。有利には、オリフィス３２０の中心３２１が長手方向軸線２７０上に位置している。弁座３０は、傾斜したシール面３３０をも有しており、このシール面３３０は、オリフィス３２０を包囲しておりかつオリフィス３２０に向かって半径方向下方及び内方へテーパしており、これにより、シール面３３０は長手方向軸線２７０に対して傾斜している。“内方”及び“外方”の用語は、それぞれ長手方向に向かう方向及び長手方向から離れる方向を表す。
【００１２】
ニードル４０は、ほぼハウジング２０の長手方向軸線２７０に沿って往復運動可能にハウジング室２６２内に配置されている。ニードル４０は、ニードル４０が弁座３０から離反させられ、加圧燃料がニードル４０を通って下流へ流れることができる第１の開放位置（図２）と、ニードル４０が押付けエレメント、有利にはばね（図示せず）によって弁座３０に押し付けられ、燃料がニードルを流過することを妨げる第２の閉鎖位置（図１）との間を往復運動可能である。
【００１３】
ニードル４０は、第１の横断面Ａ１を有する第１の部分４１０と、第２の横断面Ａ２を有する第２の部分４２０とを有している。第２の部分４２０は、ニードル４０が閉鎖位置にある時に傾斜した弁シール面３３０とシールして係合するようにサイズ決めされた、ほぼ球状の弁接触面４２２を有している。球状の弁接触面４２２は、傾斜した弁シール面３３０と係合し、これにより、これらの間にほぼ線接触を提供する。線接触は、ニードル４０と弁座３０とのソリッドなシールを提供し、燃料がニードル４０から漏出する可能性を低減する。拡大された図２に示された接触面４２２は、ニードル４０の下流端部に配置された平らな端面４２６と連続している。端面４２６は、有利には、ハウジング２０の長手方向軸線２７０に対してほぼ垂直である。
【００１４】
有利には、第１及び第２の横断面Ａ１，Ａ２は円形であるが、当業者は、第１及び第２の横断面Ａ１，Ａ２が別の形状であってもよいことを認識するであろう。この構成は、ニードル４０が閉鎖位置にあるときに弁接触面４２２の係合のためのニードル４０の比較的寛容なシール領域を提供するために、弁接触面４２２の比較的大きなシール直径を維持しながら、ニードル４０の質量を減じる。ニードルの増大した横断面Ａ２は、平均ニードル直径に対してより大きなガイド面をも提供し、これにより、中央ニードルガイド開口２８４の内面の耐摩耗性を改良する。中央ニードルガイド開口２８４の内面の改良された耐摩耗性は、ほぼ一定の横断面を有する従来のニードルと共に使用される慣用のベース弁ガイドに比べ負荷が低減されることによるものである。例えば、典型的な従来のニードルは、端部において終わった、ほぼ連続的な円筒状のシャフトを有しており、この場合、ニードルの上部における横断面は、図２に示されたニードル４０の横断面Ａ２の２倍の大きさである。
【００１５】
ニードル４０は、閉鎖位置（図１）と開放位置（図２）との間を往復運動可能である。ニードル４０が開放位置にあるときには、ほぼ環状のチャネル４３０が、弁接触面４２２と弁シール面３３０との間に形成される。
【００１６】
調量オリフィス５０が、ハウジング室２６２内に配置されており、弁座３０の下流においてハウジング２０に結合されている。調量オリフィス５０は、弁座３０及びニードル４０に面した内面５１０と、燃焼室（図示せず）に面した外面５２０とを有している。調量オリフィス５０の平面は、平らな端面４２６の平面に対してほぼ平行である。
【００１７】
図２に示されたＡの位置において調量オリフィス５０の内面５１０をはさみ取るように、弁座３０の仮想延長線４３０が調量オリフィス５０上に投射されることができる。図３を参照すると、８個の調量開口５３０が示されているが、調量オリフィス５０は有利には４個〜１２個のほぼ円形の調量開口５３０を有しているが、当業者は、調量オリフィス５０が、４個よりも少ない又は１２個よりも多い調量開口５３０を有していることができ、調量開口５３０が、楕円形又はその他のあらゆる適切な形状等の別の形状であってよいことを認識するであろう。有利には、隣接する調量開口５３０の間の距離は、調量開口５３０の直径の少なくとも約２．５倍の大きさであるが、当業者は、隣接する調量開口５３０の間の距離はその大きさよりも小さくてもよいことを認識するであろう。調量オリフィス５０は、調量開口５３０によって決定された範囲内に配置された突出部５４０を有している。有利には、閉鎖位置では、調量オリフィス５０の突出部５４０と端面４２６とは、５０〜２５０μｍだけ、さらに有利には、５０〜１００μｍだけ互いに離間されているが、当業者は、この距離は５０μｍより小さくても１００μｍよりも大きくてもよいことを認識するであろう。突出部５４０は、有利には円形であり、調量オリフィス５０とニードル４０の平らな端面４２６との間のサック容積（sac volume）６０を減じる。しかしながら、当業者は、突出部５４０が楕円形等の別の形状であってよいことを認識するであろう。連続的な環状の間隙５４２が、突出部５４０と、弁座３０に設けられたオリフィス開口３３０との間に形成されている。間隙５４２は、ニードル４０が開放位置にあるときに、調量オリフィス５０と弁座３０と間の燃料流を許容する。
【００１８】
円形の壁部３２２の下流において、弁座３０は、テーパした部分３５０に沿って下方及び外方へ斜めの形式でオリフィス３２０から離れる方向に、半径方向で調量開口５３０を越えた箇所にまでテーパしており、この箇所において弁座３０は、有利には長手方向軸線２７０に対して垂直な底面５５０へ移行している。弁座オリフィス３２０は、有利には、調量開口５３０によって規定された範囲内に全体が配置されている。調量オリフィス５０の外周付近の内面５１０は、ほぼ環状の接触領域に沿って底面５５０に係合している。
【００１９】
図２を参照すると、ほぼ環状の制御速度チャネル５６０が、弁座３０のテーパした部分３５０と、調量オリフィス５０の内面５１０との間に形成されている。有利には、制御速度チャネル５６０は、ほぼ一定の速度を提供するが、当業者は、制御された速度はチャネル５６０の長さに亘って変化してよいことを理解するであろう。チャネル５６０は、オリフィス３２０におけるより大きな高さＡ３から外方へより小さな高さＡ４にまで調量開口５３０に向かってテーパしている。調量開口５３０に向かっての高さの減少は、以下でより詳細に説明するように、燃料をほぼ制御された速度に維持し、燃料を調量開口５３０を横切って横方向に移動させ、燃料は、調量開口５３０を通って燃焼室（図示せず）内へ進入するときに霧化される。調量開口５３０の半径方向外側における調量オリフィス５０の内面５１０と、弁座３０のテーパした部分３５０との間にはほぼ環状の空間５７０が形成されている。
【００２０】
作動時には、加圧燃料が燃料ポンプ（図示せず）によってインジェクタ１０に提供される。加圧燃料はインジェクタ１０に進入し、燃料フィルタ（図示せず）を通ってハウジング室２６２に進入する。燃料は、ハウジング室２６２と、ガイド２８０に設けられた燃料流れ開口２８２とを通って、弁接触面４２２と弁シール面３３０の間の境界面へ流れる。閉鎖位置では、ニードル４０は調量オリフィス５０の突出部５４０に押し付けられて衝突する。次いで、燃料は、長手方向軸線２７０から調量オリフィス５０の突出部５４０に沿ってほぼ半径方向外方へ流れ、流れは、ほぼ下方へ、突出部５４０と弁座オリフィスの壁部３２０との間に変向される。次いで、燃料は、長手方向軸線２７０からほぼ半径方向外方へ、弁座３０のテーパした部分５３０と調量オリフィス５０との間のほぼ環状のチャネル５６０を通過させられる。燃料は、ほぼ環状のチャネル５６０の最初においてほぼ高い速度を得る。燃料が長手方向軸線２７０から外方へ流れながら、燃料流の周囲は、長手方向軸線２７０からの距離に対して直接的な線形の関係で増大する。燃料流のほぼ一定の領域を維持するために、調量オリフィス５０と弁座３０のテーパした部分３５０との間の高さは（図２の高さＡ３と比較して減じられた高さＡ４で示したように）以下の式に従い減少しなければならない。
【００２１】
２Ｂｒ１ｈ１＝２Ｂｒ２ｈ２                            （式１）
ここでｒ１は、長手方向軸線２７０と位置Ａ３との間の燃料流の半径であり；ｈ１は、位置Ａ３における調量オリフィス５０とテーパした部分３５０との間の高さであり；
ｒ２は、長手方向軸線２７０と位置Ａ４との間の燃料流の半径であり；
ｈ２は、位置Ａ４における調量オリフィス５０とテーパした部分３５０との間の高さである。
【００２２】
ほぼ一定の流速が望ましいが、当業者は、望ましいならば燃料の速度を加速又は減速するためにほぼ環状のチャネル５６０を使用することができることを認識するであろう。
【００２３】
燃料が調量開口５３０を横切って流れるときに、乱流が燃料流に形成され、この乱流は噴霧粒子サイズを低減し、燃料が調量開口５３０を通って燃焼室（図示せず）内へ流れるときに燃料を霧化する。
【００２４】
所定量の燃料が燃焼室内へ噴射されると、ソレノイド若しくは作動装置が遮断し、ばね（図示せず）がニードル４０を閉鎖位置へ押し付け、ほぼ環状のチャネル４３０を閉鎖し、ニードルの弁接触面４２２を弁座３０のシール面３３０に対しシールさせる。
【００２５】
第２実施例が図４に示されている。第２実施例では、弁座１３０は弁シール面１３２と弁オリフィス１３４とを有している。弁座１３０は、弁座３０とほぼ同じ形状を有しており、下方及び外方へ長手方向軸線２７０から斜めの形式で弁オリフィス１３４から下方へ延びたテーパした部分１３６を有している。テーパした部分１３４は、調量オリフィス開口１５２よりも半径方向外方の位置において終わっている。ほぼ環状の制御速度チャネル１５４は、調量開口１５２よりも半径方向外方における調量オリフィス１５０と、弁座１３０のテーパした部分１３６との間に形成されている。
【００２６】
ニードル１４０は、ニードル先端部１４２が平らな端面を有していないという点で第１実施例のニードル４０とは異なっている。しかしながら、当業者は、それぞれのニードル４０，１４０は、球形、円錐形、テーパ形、平坦又はその他の適切な先端部を有していることができることを認識するであろう。ニードル１４０が閉鎖位置にある場合、ニードル先端部１４２はほぼ円形の点接触で弁座１３０に係合する。ニードル１４０が開放位置にある場合、ほぼ環状のチャネル１４４がニードル１４０と弁座１３０との間に形成される。
【００２７】
図５に上面図で示された調量オリフィス１５０は、ほぼ平らであり、長手方向軸線２７０に対してほぼ垂直な平面に延びている。調量オリフィス１５０は、突出部５４０を有していないという点で調量オリフィス５０とは異なっている。
【００２８】
作動中、ニードルが１４０が弁座１３０から持ち上げられた場合、加圧燃料流が、ニードル１４０と弁座１３０との間に形成されたチャネル１４４を流過する。燃料は、弁座オリフィス１３４及び調量オリフィス１５０へ送られる。次いで燃料は長手方向軸線２７０から外方へ制御速度チャネル１５４内へ送られ、燃料は、制御速度チャネル１５４の入口において高い速度を達成する。高い燃料速度は、燃料を調量オリフィス１５０とオリフィス開口１５２とを横切って横方向にオリフィス開口１５２にまで流過させ、燃料に乱流を形成し、この乱流は、燃料がオリフィス開口１５２を通過するときに燃料を霧化する。
【００２９】
図６に示された第３実施例は、第２実施例と類似であるが、第３実施例では、調量オリフィス６００がオリフィス開口６１０の間でほぼ湾曲されており、凹面６２０がニードル１４０に面している。弁座７００は、下方及び外方に斜めに長手方向軸線２７０から離れる方向に弁座オリフィス７１０の下方に底部７２０に沿ってテーパしている代わりに、有利には、長手方向軸線２７０から離れる方向に長手方向軸線２７０に対してほぼ垂直に延びている。ほぼ環状のチャネル６３０は、弁座７００の底部７２０と調量オリフィス６００との間に形成されている。チャネル６３０は、外方へ、より大きな高さからより小さな高さにまでオリフィス開口６１０に向かってテーパしている。ほぼ環状の空間６４０が、調量開口６１０よりも半径方向外方における調量オリフィス６００と、弁座７００の底部７２０との間に形成されている。
【００３０】
第３実施例の作動は、前記第２実施例の作動に類似である。
【００３１】
前記３つの有利な実施例は、弁座と調量オリフィスとの間に形成されたほぼ環状のチャネルを開示しており、このチャネルは、外方へ、より大きな高さからより小さな高さにまでオリフィス開口に向かってテーパしており、これにより、ほぼ一定の横断面を維持しているが、当業者は、外方へより大きな高さからより小さな高さにまでオリフィス開口に向かってテーパしたほぼ環状のチャネルを別の形式で形成することができることを認識するであろう。
【００３２】
有利には、前記実施例のそれぞれにおいて、弁座３０と、ニードル４０と、調量オリフィス５０とはそれぞれステンレス鋼から形成されている。しかしながら、当業者は、弁座３０と、ニードル４０と、調量オリフィス５０とを別の適切な材料から形成することができることを認識するであろう。
【００３３】
前記実施例に対して、この実施例の広い発明概念から逸脱することなしに変更を加えることができることは当業者によって認められるであろう。したがって、本発明は、開示された実施例に限定されることがなく、添付の請求項に定義されたような本発明の思想及び範囲内での修正をカバーするものであろう。
【図面の簡単な説明】
【図１】閉鎖位置におけるニードルを備えた、本発明の第１実施例によるインジェクタの噴射端部を示す縦断面図である。
【図２】開放位置におけるニードルを備えた、図１のインジェクタの噴射端部を示す拡大された縦断面図である。
【図３】図１に示されたインジェクタにおいて使用される調量オリフィスを示す上面図である。
【図４】本発明の第２の有利な実施例によるインジェクタの噴射端部を示す縦断面図である。
【図５】図４に示されたインジェクタにおいて使用される調量オリフィスを示す上面図である。
【図６】本発明の第３の有利な実施例によるインジェクタの噴射端部を示す縦断面図である。
【符号の説明】
１０  インジェクタ、  ２０  ハウジング、  ３０  弁座、  ４０  ニードル、  ５０  調量オリフィス、  ２１０  入口端部、  ２２０  出口端部、  ２６０  弁体、  ２６２  ハウジング室、  ２７０  長手方向軸線、  ２６４  内部ハウジング壁部、  ２８０  ニードルガイド、  ２８４  中央ニードルガイド開口、  ２９０  オーバモールド部、  ３３０  シール面、  ３２０  オリフィス、  ３２１  中心、  ３２２  壁部、  ３５０  テーパした部分、  ４１０  第１の部分、  ４２０  第２の部分、  ４２２  弁接触面、  ４２６  端面、  ４３０  仮想延長線、  ５３０  調量開口、  ５４０  突出部、  ５４２  間隙、５５０  底面、  ５６０  制御速度チャネル、  ６００  調量オリフィス、  ６１０  オリフィス開口、  ６３０  チャネル、  ６４０  空間、  ７００  弁座、  ７２０  底部
【図１】
0004653337.tif 000002
【図２】
0004653337.tif 000003
【図３】
0004653337.tif 000004
【図４】
0004653337.tif 000005
【図５】
0004653337.tif 000006
【図６】
0004653337.tif 000007